【手続補正書】
【提出日】平成29年9月7日(2017.9.7)
【手続補正１】
【補正対象書類名】特許請求の範囲
【補正対象項目名】全文
【補正方法】変更
【補正の内容】
【特許請求の範囲】
【請求項１】
電子ディスプレイであって、
画素へ印加される電圧信号に少なくとも部分的に基づいて変化するリフレッシュレートで画像を表示することを促進するように構成された画素と、
前記画素と電気的に結合されたドライバであって、前記電子ディスプレイに第１の画像を表示することを促進するために、第１の画像データに少なくとも部分的に基づいて、第１の電圧信号を前記画素に印加するように構成された前記ドライバと、
前記ドライバに通信可能に結合されたタイミングコントローラであって、
前記第１の画像の後に表示される第２の画像に対応する第２の画像データを画像ソースから受信し、
カウンタ値に少なくとも部分的に基づいて、前記第１の画像の表示結果として予測される前記画素の第１の極性化を判定し、
前記カウンタ値は、前記第１の画像の第１の表示持続時間が第１の持続時間閾値よりも短い持続時間に少なくとも部分的に基づいて、第１のレートで調整され、
前記カウンタ値は、前記第１の表示持続時間が前記第１の持続時間閾値よりも短くない持続時間に少なくとも部分的に基づいて、第２のレートで調整され、前記第２のレートは、前記第１の表示持続時間と前記第１の極性化との間における非線形の関係を表現することを促進するために、前記第１のレートとは異なり、
前記電子ディスプレイ上で前記第２の画像を表示することを促進するために、前記第１の極性化と、前記第２の画像データとに少なくとも部分的に基づいて、第２の電圧信号を前記画素に印加するように前記ドライバに指示し、前記第２の電圧信号の極性は、前記画素の前記第１の極性化に少なくとも部分的に基づいて判定される、
ように構成された前記タイミングコントローラと
を備えることを特徴とする電子ディスプレイ。
【請求項２】
前記タイミングコントローラは、
前記カウンタ値が前記第１の画像を表示した結果として正数である場合には、前記第２の電圧信号を負電圧で印加するように前記ドライバに指示し、
前記カウンタ値が前記第１の画像を表示した結果としてゼロ以下である場合には、前記第２の電圧信号を正電圧で印加するように前記ドライバに指示する、ように構成されたことを特徴とする請求項１に記載の電子ディスプレイ。
【請求項３】
前記タイミングコントローラは、
前記画素へ印加された前記第１の電圧信号が正電圧を有する場合には、前記カウンタ値を増加させ、
前記画素へ印加された前記第１の電圧信号が負電圧を有する場合には、前記カウンタ値を減少させることによって、
前記第１の画像の前記第１の表示持続時間に少なくとも部分的に基づいて、前記カウンタ値を更新するように構成されたことを特徴とする請求項１に記載の電子ディスプレイ。
【請求項４】
前記タイミングコントローラは、
前記第１の画像データに含まれる、垂直ブランクラインの数及びアクティブラインの数を判定し、
前記第１の画像データに含まれる前記垂直ブランクラインの数及び前記アクティブラインの数に少なくとも部分的に基づいて、前記第１の画像の前記第１の表示持続時間を判定し、
前記第１の電圧信号が正電圧を有する場合には、前記第１の画像データに含まれる前記垂直ブランクラインの数及び前記アクティブラインの数によって前記カウンタ値を増加させ、
前記第１の電圧信号が負電圧を有する場合には、前記第１の画像データに含まれる前記垂直ブランクラインの数及び前記アクティブラインの数によって前記カウンタ値を減少させることによって、
前記第１の画像の前記第１の表示持続時間に少なくとも部分的に基づいて、前記カウンタ値を更新するように構成されたことを特徴とする請求項１に記載の電子ディスプレイ。
【請求項５】
前記カウンタ値は、前記第１の画像の前記第１の表示持続時間が第２の持続時間閾値よりも短く、かつ、前記第１の持続時間閾値よりも短くない持続時間に少なくとも部分的に基づいて、第３のレートで調整され、
前記第３のレートは、前記第１の表示持続時間と前記第１の極性化との間の非線形の関係を表現するために、前記第１のレート及び前記第２のレートの両方と異なることを特徴とする請求項１に記載の電子ディスプレイ。
【請求項６】
前記タイミングコントローラは、
前記第２の画像の後に表示される第３の画像に対応する第３の画像データを画像ソースから受信し、
前記カウンタ値に少なくとも部分的に基づいて、前記第２の画像の表示結果として予測される前記画素の第２の極性化を判定し、
前記カウンタ値は、前記第２の画像の第２の表示持続時間が前記第１の持続時間閾値よりも短い持続時間に少なくとも部分的に基づいて、前記第１のレートで調整され、
前記カウンタ値は、前記第２の表示持続時間が前記第１の持続時間閾値よりも短くない持続時間に少なくとも部分的に基づいて、前記第２のレートで調整され、前記第２のレートは、前記第２の表示持続時間と前記第２の極性化との間における非線形の関係を表現する前記第１のレートとは異なり、
前記電子ディスプレイ上で前記第３の画像を表示することを促進するために、前記第２の極性化と、前記第３の画像データとに少なくとも部分的に基づいて、第３の電圧信号を前記画素に印加するように前記ドライバに指示し、前記第３の電圧信号の極性は、前記画素の前記第２の極性化に少なくとも部分的に基づいて判定される、
ように構成されたことを特徴とする請求項１に記載の電子ディスプレイ。
【請求項７】
方法であって、
電子ディスプレイを用いて、第１の電圧信号を前記電子ディスプレイの画素に供給することによって第１の画像を表示することと、
前記電子ディスプレイのカウンタを用いて、
前記第１の画像の第１の表示持続時間が第１の持続時間閾値よりも短い間に、第１のレートでカウンタ値を調整し、
前記第１の表示持続時間が前記第１の持続時間閾値よりも短くない間に、第２のレートで前記カウンタ値を調整し、前記第２のレートは、前記第１の表示持続時間と前記画素の予測される極性化との間における非線形の関係を表現することを促進するために、第１のレートとは異なる、ことによって、
１以上の画像の表示結果として前記画素の前記予測される極性化を示すカウンタ値を調整することと、
前記電子ディスプレイを用いて、前記画素の前記予測される極性化を減らすことを促進するために、前記第１の画像の表示結果としての前記カウンタ値に少なくとも部分的に基づいて判定される第１の電圧極性で前記画素に第２の電圧信号を印加することによって、前記第１の画像のすぐ後に第２の画像を表示することと
を含むことを特徴とする方法。
【請求項８】
前記電子ディスプレイを用いて、前記第１の画像に対応する第１の画像データを画像ソースから受信することと、
前記電子ディスプレイを用いて、前記第１の画像データに含まれるアクティブラインの数及びブランクラインの数を判定することと
を含み、
前記カウンタ値を調整することは、
前記第１の電圧信号の第２の極性が正の場合には、前記第１の画像データに含まれる前記アクティブラインの数及び前記ブランクラインの数に少なくとも部分的に基づいて、前記第１の画像の表示中に前記カウンタ値を増加させることと、
前記第１の電圧信号の前記第２の極性が負の場合には、前記第１の画像データに含まれる前記アクティブラインの数及び前記ブランクラインの数に少なくとも部分的に基づいて、前記第１の画像の表示中に前記カウンタ値を減少させることと
を含むことを特徴とする請求項７に記載の方法。
【請求項９】
前記第１の画像データに含まれる前記アクティブラインの数及び前記ブランクラインの数に少なくとも部分的に基づいて、前記第１の画像の、予測される表示持続時間、予測されるリフレッシュレート、又はその両方を判定することを含むことを特徴とする請求項８に記載の方法。
【請求項１０】
前記カウンタを用いて、
前記第２の画像の第２の表示持続時間が前記第１の持続時間閾値よりも短い間に、前記第１のレートで前記カウンタ値を調整し、
前記第２の表示持続時間が前記第１の持続時間閾値よりも短くない間に、前記第２のレートで前記カウンタ値を調整し、前記第２のレートは、前記第２の表示持続時間と前記画素の前記予測される極性化との間における非線形の関係を表現することを促進するために、前記第１のレートとは異なる、ことによって、
前記第２の画像の表示中に前記カウンタ値を調整することと、
前記電子ディスプレイを用いて、前記第２の画像の表示結果としての前記カウンタ値に少なくとも部分的に基づいて判定される第２の電圧極性で前記画素に第３の電圧信号を印加することによって、前記第２の画像のすぐ後に第３の画像を表示することと
を含むことを特徴とする請求項７に記載の方法。
【請求項１１】
前記電子ディスプレイを用いて、
前記第１の画像の表示結果としての前記カウンタ値がゼロより大きい場合に、第１の極性が負であると判定し、
前記第１の画像の表示結果としての前記カウンタ値がゼロ以下の場合に、前記第１の極性が正であると判定することによって、
前記第２の電圧信号の前記第１の電圧極性を判定することを含むことを特徴とする請求項７に記載の方法。
【請求項１２】
前記カウンタ値を調整することは、
前記第１の画像の前記第１の表示持続時間が第２の持続時間閾値より短く、かつ、前記第１の持続時間閾値よりも短くない間に、前記第２のレートで前記カウンタ値を調整することであって、第２のレートは前記第１のレートより短い、ことと、
前記第１の画像の前記第１の表示持続時間が前記第２の持続時間閾値及び前記第１の持続時間閾値よりも短くない間に、第３のレートで前記カウンタ値を調整することであって、前記第３のレートは前記第２のレートより短い、ことと
を含むことを特徴とする請求項７に記載の方法。
【請求項１３】
電子デバイスの１以上のプロセッサによって実行可能な命令を含むコンピュータプログラムであって、前記命令は、
前記１以上のプロセッサを用いて、電子ディスプレイのディスプレイパネルの画素に第１の電圧信号を印加することによって、前記ディスプレイパネルに第１の画像を書き込むようにドライバに指示し、
前記１以上のプロセッサを用いて、前記第１の画像の第１の画素極性化及び第１の表示持続時間の間の非線形の関係に少なくとも部分的に基づいて、前記第１の画像の表示に起因して前記画素において発生することが予測される前記第１の画素極性化を判定し、
前記１以上のプロセッサを用いて、前記画素に印加されると、前記第１の画素極性化を減らすことを促進することが予測される第１の電圧極性を判定し、
前記１以上のプロセッサを用いて、前記画素に前記第１の電圧極性で第２の電圧信号を印加することによって前記第１の画像のすぐ後に前記ディスプレイパネルに第２の画像を書き込むように前記ドライバに指示する、
命令を含むことを特徴とするコンピュータプログラム。
【請求項１４】
前記１以上のプロセッサを用いて、前記電子ディスプレイに、
前記第１の画像の第１の表示持続時間が持続時間閾値よりも短い持続時間に少なくとも部分的に基づいて、第１のレートでカウンタ値を調整し、
前記第１の表示持続時間が前記持続時間閾値よりも短くない持続時間に少なくとも部分的に基づいて、第２のレートで前記カウンタ値を調整し、前記第２のレートは、前記第１の画素極性化と前記第１の表示持続時間との間における前記非線形の関係を表現することを促進するために、前記第１のレートより小さい、ように指示する命令を含み、
前記第１の画像の表示に起因して前記画素において発生することが予測される前記第１の画素極性化を判定する前記命令は、前記第１の画像の表示結果としてのカウンタ値に少なくとも部分的に基づいて、前記第１の画素極性化を判定する命令を含むことを特徴とする請求項１３に記載のコンピュータプログラム。
【請求項１５】
前記第１の画素極性化を減らすことを促進することが予想される前記第１の電圧極性を判定する前記命令は、
前記第１の画素極性化が負電圧になると予測される場合には、前記第１の電圧極性が正であると判定し、
前記第１の画素極性化が正電圧になると予測される場合には、前記第１の電圧極性が負であると判定する命令を含むことを特徴とする請求項１３に記載のコンピュータプログラム。
【請求項１６】
前記１以上のプロセッサを用いて、前記第２の画像の第２の画素極性化及び第２の表示持続時間の間の非線形の関係に少なくとも部分的に基づいて、前記第２の画像の表示に起因して前記画素において発生することが予測される前記第２の画素極性化を判定し、
前記１以上のプロセッサを用いて、前記画素に印加されると、前記第２の画素極性化を減らすことを促進することが予測される第２の電圧極性を判定し、
前記１以上のプロセッサを用いて、前記画素に前記第２の電圧極性で第３の電圧信号を印加することによって前記第２の画像のすぐ後に前記ディスプレイパネルに第３の画像を書き込むように前記ドライバに指示する、
命令を含むことを特徴とする請求項１３に記載のコンピュータプログラム。
【請求項１７】
コンピューティングデバイスであって、
画像ソースであって、
前記画像ソースがアクティブモードにある場合には画像データを出力し、
前記画像ソースがスリープモードにある場合には画像の出力を停止するように構成された、前記画像ソースと、
前記画像ソースに通知可能に結合された電子ディスプレイであって、
前記画像ソースが前記アクティブモードで動作している間に前記画像ソースから受信した第１の画像データに少なくとも部分的に基づいて、前記電子ディスプレイ上に表示される第１の画像の第１の表示持続時間を判定し、
前記第１の画像の第１の画素極性化及び前記第１の表示持続時間の間の非線形の関係に少なくとも部分的に基づいて、前記第１の画像の表示後の画素において引き起こされると予測される前記第１の画素極性化を判定し、
前記第１の画像の表示後に前記画素において引き起こされると予測される前記第１の画素極性化に少なくとも部分的に基づいて判定される第１の電圧極性で第１の電圧信号を印加することによって前記第１の画像のすぐ後に第２の画像を表示するように構成された前記電子ディスプレイと
を備えることを特徴とするコンピューティングデバイス。
【請求項１８】
前記画像ソースは、該画像ソースによって出力されるべき画像データが前記画像ソースによって前に出力された画像データと同じ場合には、前記スリープモードに移行するように構成されたことを特徴とする請求項１７に記載のコンピューティングデバイス。
【請求項１９】
前記第１の表示持続時間を判定するために、前記電子ディスプレイは、
前記第１の画像データに含まれる、垂直ブランクラインの数及びアクティブラインの数を判定し、
前記第１の画像データに含まれる前記垂直ブランクラインの数及び前記アクティブラインの数に少なくとも部分的に基づいて、前記第１の表示持続時間を判定する、ように構成されたことを特徴とする請求項１７に記載のコンピューティングデバイス。
【請求項２０】
前記電子ディスプレイは、
カウンタであって、非線形の関係を示すことを促進するために、
前記第１の表示持続時間が第１の持続時間閾値よりも短い持続時間に少なくとも部分的に基づいて、第１のレートでカウンタ値を調整し、
前記第１の表示持続時間が前記第１の持続時間閾値よりも長く、かつ、第２の持続時間閾値よりも短い持続時間に少なくとも部分的に基づいて、前記第１のレートよりも小さい第２のレートで前記カウンタ値を調整する、ように構成されたカウンタと、
前記カウンタ値に少なくとも部分的に基づいて、前記画素において結果として予測される前記第１の画素極性化を判定するように構成されたタイミングコントローラと
を備えることを特徴とする請求項１７に記載のコンピューティングデバイス。
【請求項２１】
前記電子ディスプレイは、
前記画素に電気的に結合したドライバであって、前記画素に電圧信号を印加することによって前記画素に画像の対応する部分を書き込むように構成された前記ドライバと、
前記ドライバに通信可能に結合されたタイミングコントローラであって、
前記第１の画像データの出力後に前記画像ソースが前記スリープモードに切り替わる際の前記第１の画像データと、
前記第１の画像データの出力後に前記画像ソースが前記アクティブモードで動作している際に、前記第１の画像データの後に前記画像ソースから受信した第２の画像データと
の１つに少なくとも部分的に基づいて前記第１の電圧信号の大きさを判定し、
前記第１の画像の表示後に前記画素において引き起こされると予測される前記第１の画素極性化に少なくとも部分的に基づいて、前記第１の電圧極性を判定し、
前記画素に前記大きさでかつ前記第１の電圧極性で前記第１の電圧信号を印加することによって前記第１の画像のすぐ後に前記画素に前記第２の画像を書き込むように前記ドライバに指示し、
前記第２の画像の第２の画素極性化及び第２の表示持続時間の間の非線形の関係に少なくとも部分的に基づいて、前記第２の画像の表示後の前記画素において引き起こされると予測される前記第２の画素極性化を判定し、
前前記第２の画素極性化に少なくとも部分的に基づいて判定される第２の電圧極性で第２の電圧信号を印加することによって、前記第２の画像のすぐ後に前記画素に第３の画像を表示するように前記ドライバに指示する、
ように構成された前記タイミングコントローラと
を備えることを特徴とする請求項１７に記載のコンピューティングデバイス。
【請求項２２】
方法であって、
電子ディスプレイを用いて、第１の画像データに基づいて第１の画像を表示することと、
カウンタを用いて、
前記第１の画像の第１の表示持続時間が第１の持続時間閾値に到達するまで、第１のレートでカウンタ値を調整し、
前記第１の画像の第１の表示持続時間が前記第１の持続時間閾値を超えた後に、前記第１のレートとは異なる第２のレートで前記カウンタ値を調整することによって、
表示持続時間と前記電子ディスプレイの画素において発生する画素極性化との間の予測される非線形の関係を示すことを促進するために、前記第１の画像の前記第１の表示持続時間に少なくとも部分的に基づいて、カウンタ値を調整することと、
前記電子ディスプレイを用いて、前記電子ディスプレイの前記画素に前記第１の画像を表示した後に、前記カウンタ値に少なくとも部分的に基づいて判定される第１の電圧極性で第１の電圧信号を印加することによって、第２の画像を表示することと
を含むことを特徴とする方法。
【請求項２３】
前記カウンタ値を調整することは、
前記第１の画像の第１の表示持続時間が第２の持続時間閾値に到達するまで、前記第２のレートで前記カウンタ値を調整することと、
前記第１の表示持続時間が前記第２の持続時間閾値を超えた後に、前記第１のレート及び前記第２のレートとは異なる第３のレートで前記カウンタ値を調整することと
を含むことを特徴とする請求項２２に記載の方法。
【請求項２４】
前記第１のレートで前記カウンタ値を調整することは、単位時間当たり１単位の前記カウンタ値を調整することを含み、
前記第２のレートで前記カウンタ値を調整することは、２単位時間当たり１単位の前記カウンタ値を調整することを含む、ことを特徴とする請求項２２に記載の方法。
【請求項２５】
前記カウンタを用いて、
前記第２の画像の第２の表示持続時間が前記第１の持続時間閾値に到達するまで、前記第１のレートで前記カウンタ値を調整し、
前記第２の画像の第２の表示持続時間が前記第１の持続時間閾値を超えた後に、前記第２のレートで前記カウンタ値を調整することによって、
表示持続時間と前記電子ディスプレイの前記画素において発生する画素極性化との間の前記予測される非線形の関係を示すことを促進するために、前記第２の画像の第２の表示持続時間に少なくとも部分的に基づいて、前記カウンタ値を調整することと、
前記電子ディスプレイを用いて、前記電子ディスプレイの前記画素に前記第２の画像を表示した後に、前記カウンタ値に少なくとも部分的に基づいて判定される第２の電圧極性で第２の電圧信号を印加することによって、第３の画像を表示することと
を含むことを特徴とする請求項２２に記載の方法。